(57)【特許請求の範囲】
【請求項１】
両面印刷機構を備えた印刷装置であって、
受信した印刷データに対して、用紙から切り取られるべき閉領域を示すカットマークの印刷が指定されているか否かを判断する判断手段と、
前記判断手段により前記カットマークの印刷が指定されていると判断された場合、前記印刷データに対して、用紙の両面を印刷データの印刷に用いる両面印刷が指定されているか否かを判断する両面印刷指定判断手段と、
前記判断手段により前記カットマークの印刷が指定されていると判断された場合、前記カットマークのサイズおよび印刷位置を取得する取得手段と、
前記両面印刷指定判断手段により前記両面印刷が指定されていると判断された場合、当該両面印刷を、用紙の片面を印刷データの印刷に用いる片面印刷に変更する変更手段と、
前記取得手段により取得された前記カットマークのサイズおよび印刷位置に基づいて、前記印刷データが印刷される用紙の裏面に前記カットマークを印刷する印刷手段と、
を有し、
前記変更手段により両面印刷が片面印刷に変更された場合、前記印刷手段は、前記印刷データが１頁ごと片面に印刷される用紙の裏面に前記カットマークを印刷することを特徴とする印刷装置。
【請求項２】
両面印刷機構を備えた印刷装置で実行される印刷方法であって、
受信した印刷データに対して、用紙から切り取られるべき閉領域を示すカットマークの印刷が指定されているか否かを判断する判断ステップと、
前記判断ステップにおいて前記カットマークの印刷が指定されていると判断された場合、前記印刷データに対して、用紙の両面を印刷データの印刷に用いる両面印刷が指定されているか否かを判断する両面印刷指定判断ステップと、
前記判断ステップにおいて前記カットマークの印刷が指定されていると判断された場合、前記カットマークのサイズおよび印刷位置を取得する取得ステップと、
前記両面印刷指定判断ステップにおいて前記両面印刷が指定されていると判断された場合、当該両面印刷を、用紙の片面を印刷データの印刷に用いる片面印刷に変更する変更ステップと、
前記取得ステップにおいて取得された前記カットマークのサイズおよび印刷位置に基づいて、前記印刷データが印刷される用紙の裏面に前記カットマークを印刷する印刷ステップと、
を有し、
前記変更ステップにおいて両面印刷が片面印刷に変更された場合、前記印刷ステップにおいては、前記印刷データが１頁ごと片面に印刷される用紙の裏面に前記カットマークが印刷されることを特徴とする印刷方法。
【請求項３】
両面印刷機構を備えた印刷装置を制御するためのプログラムであって、
受信した印刷データに対して、用紙から切り取られるべき閉領域を示すカットマークの印刷が指定されているか否かを判断する判断手順と、
前記判断手順において前記カットマークの印刷が指定されていると判断された場合、前記印刷データに対して、用紙の両面を印刷データの印刷に用いる両面印刷が指定されているか否かを判断する両面印刷指定判断手順と、
前記判断手順において前記カットマークの印刷が指定されていると判断された場合、前記カットマークのサイズおよび印刷位置を取得する取得手順と、
前記両面印刷指定判断手順において前記両面印刷が指定されていると判断された場合、当該両面印刷を、用紙の片面を印刷データの印刷に用いる片面印刷に変更する変更手順と、
前記取得手順において取得された前記カットマークのサイズおよび印刷位置に基づいて、前記印刷データが印刷される用紙の裏面に前記カットマークを印刷する指示を行う印刷指示手順と、
を前記印刷装置に実行させ、
前記変更手順において両面印刷が片面印刷に変更された場合、前記印刷手順においては、前記印刷データが１頁ごと片面に印刷される用紙の裏面に前記カットマークが印刷されることを特徴とする印刷プログラム。
【請求項４】
請求項３に記載の印刷プログラムを記録したコンピュータ読み取り可能な記録媒体。
【発明の詳細な説明】
【技術分野】
【０００１】
本発明は、カットマークの印刷が可能な印刷装置、印刷方法、および印刷プログラムに関する。
【背景技術】
【０００２】
近年、プリンタ等の印刷装置とデジタルカメラとの連携が普通に行われるようになり、デジタルカメラから写真をダイレクト印刷する印刷装置も多く提案されている。
【０００３】
ところが、レーザプリンタ等の電子写真式プリンタにおいては、その構造上、用紙の四辺に数ミリの印刷不可能領域が存在している。このため、縁なし印刷を行う場合には、目的の印刷物よりも大きいサイズの用紙に印刷して、その一部を切り出す必要があった。この場合、用紙の印刷面に切り取り線を示すカットマークを印刷して作業効率を上げることが考えられる。しかし、カットマークに沿ってユーザが正確に切断することは難しく、切り取られた印刷物の端部にカットマークが残ってしまうという問題がある。
【０００４】
このような印刷面側にカットマークが残ってしまうという問題を解決するために、カットマークを用紙の裏面に印刷する専用のマーク付与装置を備えた印刷装置が提案されている（特許文献１参照）。
【０００５】
しかしながら、上記特許文献１に記載の印刷装置は、ロール紙を印刷に使用するものであって、当該ロール紙の裏面に幅方向に直線のマーキングを行うものに過ぎない。したがって、かかる印刷装置は、特別な専用のマーク付与装置が必要となるだけでなく、例えば四辺に囲まれた閉領域の外形ラインに沿ったカットマークの形成には適用できないという問題があった。
【特許文献１】特開２００３−２１１７７５号公報
【発明の開示】
【発明が解決しようとする課題】
【０００６】
本発明は上記従来技術の問題点を解決するためになされたものであり、本発明の目的は、用紙から切り取られるべき閉領域を示すカットマークを、用紙の裏面に簡単に印刷し得る印刷装置、印刷方法、および印刷プログラムを提供することにある。
【課題を解決するための手段】
【０００７】
本発明の上記目的は、下記の手段によって達成される。
【０００８】
（１）両面印刷機構を備えた印刷装置であって、受信した印刷データに対して、用紙から切り取られるべき閉領域を示すカットマークの印刷が指定されているか否かを判断する判断手段と、前記判断手段により前記カットマークの印刷が指定されていると判断された場合、前記印刷データに対して、用紙の両面を印刷データの印刷に用いる両面印刷が指定されているか否かを判断する両面印刷指定判断手段と、前記判断手段により前記カットマークの印刷が指定されていると判断された場合、前記カットマークのサイズおよび印刷位置を取得する取得手段と、前記両面印刷指定判断手段により前記両面印刷が指定されていると判断された場合、当該両面印刷を、用紙の片面を印刷データの印刷に用いる片面印刷に変更する変更手段と、前記取得手段により取得された前記カットマークのサイズおよび印刷位置に基づいて、前記印刷データが印刷される用紙の裏面に前記カットマークを印刷する印刷手段と、を有し、前記変更手段により両面印刷が片面印刷に変更された場合、前記印刷手段は、前記印刷データが１頁ごと片面に印刷される用紙の裏面に前記カットマークを印刷することを特徴とする印刷装置。
【００１０】
（２）両面印刷機構を備えた印刷装置で実行される印刷方法であって、受信した印刷データに対して、用紙から切り取られるべき閉領域を示すカットマークの印刷が指定されているか否かを判断する判断ステップと、前記判断ステップにおいて前記カットマークの印刷が指定されていると判断された場合、前記印刷データに対して、用紙の両面を印刷データの印刷に用いる両面印刷が指定されているか否かを判断する両面印刷指定判断ステップと、前記判断ステップにおいて前記カットマークの印刷が指定されていると判断された場合、前記カットマークのサイズおよび印刷位置を取得する取得ステップと、前記両面印刷指定判断ステップにおいて前記両面印刷が指定されていると判断された場合、当該両面印刷を、用紙の片面を印刷データの印刷に用いる片面印刷に変更する変更ステップと、前記取得ステップにおいて取得された前記カットマークのサイズおよび印刷位置に基づいて、前記印刷データが印刷される用紙の裏面に前記カットマークを印刷する印刷ステップと、を有し、前記変更ステップにおいて両面印刷が片面印刷に変更された場合、前記印刷ステップにおいては、前記印刷データが１頁ごと片面に印刷される用紙の裏面に前記カットマークが印刷されることを特徴とする印刷方法。
【００１１】
（３）両面印刷機構を備えた印刷装置を制御するためのプログラムであって、受信した印刷データに対して、用紙から切り取られるべき閉領域を示すカットマークの印刷が指定されているか否かを判断する判断手順と、前記判断手順において前記カットマークの印刷が指定されていると判断された場合、前記印刷データに対して、用紙の両面を印刷データの印刷に用いる両面印刷が指定されているか否かを判断する両面印刷指定判断手順と、前記判断手順において前記カットマークの印刷が指定されていると判断された場合、前記カットマークのサイズおよび印刷位置を取得する取得手順と、前記両面印刷指定判断手順において前記両面印刷が指定されていると判断された場合、当該両面印刷を、用紙の片面を印刷データの印刷に用いる片面印刷に変更する変更手順と、前記取得手順において取得された前記カットマークのサイズおよび印刷位置に基づいて、前記印刷データが印刷される用紙の裏面に前記カットマークを印刷する指示を行う印刷指示手順と、を前記印刷装置に実行させ、前記変更手順において両面印刷が片面印刷に変更された場合、前記印刷手順においては、前記印刷データが１頁ごと片面に印刷される用紙の裏面に前記カットマークが印刷されることを特徴とする印刷プログラム。
【００１２】
（４）上記（３）に記載の印刷プログラムを記録したコンピュータ読み取り可能な記録媒体。
【発明の効果】
【００１３】
本発明によれば、両面印刷機構を利用するので特別な専用の装置を別途備える必要が無く、閉領域を示すカットマークを、用紙の裏面の所望位置に簡単に印刷することができる。したがって、印刷された写真などの縁なし印刷物を得るための切り取り作業を行う際の作業負担を軽減し、作業効率を上げることができる。
【発明を実施するための最良の形態】
【００１４】
以下、本発明の実施の形態を、図面を参照して詳細に説明する。
【００１５】
図１は、本発明の一実施形態にかかる画像処理システムの全体構成を示すブロック図である。
【００１６】
本実施形態にかかる画像処理システムは、印刷データ送信装置としてのＰＣ（パーソナルコンピュータ）１と、両面印刷機構を備えた印刷装置２とを有しており、これらはネットワーク３を介して相互に通信可能に接続されている。なお、ＰＣ１と印刷装置２とは、ネットワーク３を介することなく直接機器間で接続（ローカル接続）されていてもよい。印刷装置２としては、プリンタ、複写機、ＭＦＰ（Ｍｕｌｔｉ−Ｆｕｎｃｔｉｏｎ  Ｐｅｒｉｐｈｅｒａｌ）等が挙げられる。
【００１７】
図２は、図１に示されるＰＣ１の構成を示すブロック図である。ＰＣ１は、ＣＰＵ１１、ＲＯＭ１２、ＲＡＭ１３、ハードディスク１４、ディスプレイ１５、入力装置１６、記録媒体読み取り装置１７、およびネットワークインタフェース１８を備えており、これらは信号をやり取りするためのバス１９を介して相互に接続されている。
【００１８】
ＣＰＵ１１は、プログラムにしたがって、上記各部の制御や各種の演算処理を行う。ＲＯＭ１２は、各種プログラムや各種データを格納する。ＲＡＭ１３は、作業領域として一時的にプログラムやデータを記憶する。ハードディスク１４は、オペレーティングシステムを含む各種プログラムや各種データを格納する。
【００１９】
このハードディスク１４には、文書ファイルを作成するためのアプリケーションと、文書ファイルを印刷装置２が解釈可能な言語で記述された印刷データに変換するためのプリンタドライバとがインストールされている。プリンタドライバは、アプリケーションで作成した文書ファイルの印刷指示を行う機能を有する。
【００２０】
ディスプレイ１５は、各種の情報を表示する。入力装置１６は、マウス等のポインティングデバイスやキーボードであり、各種の入力を行うために使用される。記録媒体読み取り装置１７は、メモリカードスロット、ＰＣカードスロット等のカード型記録媒体用のインタフェースや、ＭＯドライブ、ＣＤ−Ｒドライブ、ＤＶＤ−Ｒドライブ等のディスク型記録媒体用のディスクドライブ等であり、挿入された記録媒体に記憶された画像データを読み取る。ネットワークインタフェース１８は、ネットワーク３を介して他の機器と通信するためのインタフェースであり、イーサネット（登録商標）、トークンリング、ＦＤＤＩ等の規格が用いられる。
【００２１】
図３は、図１に示される印刷装置２の構成を示すブロック図である。印刷装置２は、ＣＰＵ２１、ＲＯＭ２２、ＲＡＭ２３、ハードディスク２４、操作パネル部２５、印刷部２６、ダイレクト印刷用接続部２７、およびネットワークインタフェース２８を含み、これらは信号を遣り取りするためのバス２９を介して相互に接続されている。なお、印刷装置２の上記各部のうち、ＰＣ１の上記各部と同様の機能を有する部分については、説明の重複を避けるためその説明を省略する。
【００２２】
上記ＲＯＭ２２またはハードディスク２４には、例えばＰＣ１から転送された印刷データをビットマップ形式の画像データに展開する描画処理や、画像データをシート状の記録材としての用紙に印刷する印刷処理などの各種の処理プログラムが格納されている。
【００２３】
操作パネル部２５は、コントロールパネル３９（図６参照）、テンキー、スタートボタン、およびストップボタン等を備えており、各種情報の表示および各種指示の入力に使用される。
【００２４】
印刷部２６は、電子写真方式により帯電、露光、現像、転写および定着の各工程を経て、画像データを用紙上に印刷する。本実施形態では、用紙としてカット紙が使用される。本発明における印刷部２６の印刷方式はこれに限定されるものではなく、電子写真方式以外にも、インクジェット方式等によるものであってもよい。印刷部２６は、後述するように、両面印刷機構を備えている。
【００２５】
ダイレクト印刷用接続部２７は、デジタルカメラ、メモリカード等の機器を接続するコネクタ部である。印刷装置２は、ダイレクト印刷用接続部２７に接続した機器に保存されている画像データを、ＰＣ１を経由すること無しに、印刷データとして直接印刷することができる。
【００２６】
なお、ＰＣ１および印刷装置２は、それぞれ、上記した構成要素以外の構成要素を含んでいてもよく、あるいは、上記した構成要素のうちの一部が含まれていなくてもよい。
【００２７】
ネットワーク３は、イーサネット（登録商標）、トークンリング、ＦＤＤＩ等の規格によりコンピュータやネットワーク機器同士を接続したＬＡＮや、ＬＡＮ同士を専用線で接続したＷＡＮ等からなる。
【００２８】
図４は、両面印刷機構を持つ印刷装置２の機械的構造を模式的に示す図である。
【００２９】
片面印刷を行う場合、用紙カセット３０に収容されている用紙３１が給紙ローラ３２により１枚ずつ給紙され、画像転写部３３で、用紙３１上に画像が転写される。さらに用紙３１は搬送路を経て定着器３４に搬送され、定着器３４にて加圧および加熱されて、画像が用紙３１上に定着される。画像が定着された印刷後の用紙３１は、排紙部３５から排出され、排紙トレイ３６に、フェースダウンで蓄積される。
【００３０】
一方、両面印刷を行う場合、第１面に印刷された用紙３１ａが、排紙部３５で完全に排出せず、排出の途中でスイッチバックし、両面印刷機構３７に搬入される。この両面印刷機構３７に搬入された用紙３１ｂは、さらに再給紙部３８から再度、画像転写部３３に戻される。そして、この用紙３１の第２面に対する画像の転写を実行し、定着器３４にて画像が用紙３１上に定着され、印刷後の用紙３１は排紙部３５から排出される。
【００３１】
なお、上記の両面印刷機構を持つ印刷装置２において、通常の両面印刷を行う場合、排紙トレイ３６にフェースダウンで蓄積された印刷後の用紙３１が、ページ順序通りに排出されるためには、印刷順序が図５に示すように設定される必要がある。すなわち、表面（奇数ページ）と裏面（偶数ページ）を入れ替えて、最初の第１面目には裏面（偶数ページ）を先に印刷し、そして第２面目として表面（奇数ページ）を後に印刷するという、印刷順序に設定される。
【００３２】
図６は、操作パネル部２５におけるコントロールパネル３９の詳細を示す図である。
【００３３】
このコントロールパネル３９は、ＬＣＤ表示部４０、方向スイッチ４１（上方向スイッチ４２、下方向スイッチ４３、左方向スイッチ４４、および右方向スイッチ４５の総称）、中央スイッチ（メニュー／選択実行スイッチ）４６、キャンセルスイッチ４７、プリンタレディ状態表示ＬＥＤ４８、およびプリンタエラー状態表示ＬＥＤ４９を備えている。ユーザはコントロールパネル３９を操作することで、印刷条件の各種指定項目を設定または変更することが可能である。
【００３４】
通常、コントロールパネル３９のＬＣＤ表示部４０はプリンタの状態を表示しており、ユーザにプリンタの状態を通知、警告する機能を持っている。そして、中央スイッチ（メニュー／選択実行スイッチ）４６を押下することで、メニュー機能が呼び出され、各種機能（印刷条件の各種指定項目を含む）の選択、設定、変更等の操作が可能となる。
【００３５】
図７は、メニュー表示が遷移する例を示す。図中、四角の枠内はＬＣＤ表示部４０の表示状態を表す。ＬＣＤ表示部４０がプリンタ状態の表示中（例えば「ＲＥＡＤＹ」等の表示中）に中央スイッチ４６が押されることでメニュー機能に入る。方向スイッチ４１でメニューが選択され、中央スイッチ４６で選択が確定されて、指定項目の表示が行われる。例えば、下方向スイッチ４３が押されることにより、メニュー表示が、「メニュー１」、「カットマーク印刷指定」、「カットマーク位置指定」、「カットマークサイズ指定」…「メニューｎ」と循環して表示させられる。
【００３６】
本実施形態では、カットマークは、印刷後の用紙から、ユーザにより例えばハサミやカッター等の切断器具によって切り取られるべき閉領域の外形を示すものである。ここでは、閉領域として四辺形が利用される。ただし、円形、三角形等の他の閉領域が利用されてもよい。
【００３７】
「カットマーク印刷指定」が表示させられたときに中央スイッチ４６が押されると、「カットマーク印刷指定」のＯＮ／ＯＦＦ選択画面が表示される。なお、デフォルト値は、「ＯＦＦ」に設定されている。方向スイッチ４１の操作により「ＯＮ」が選択されて中央スイッチ４６で確定されと、「カットマーク印刷指定」は「ＯＮ」に設定される。なお、キャンセルスイッチ４７が押された場合には、メニュー機能が終了させられ、プリンタ状態の表示に戻る。
【００３８】
図８は、メニューの構成例を示す。本実施形態では、カットマークのサイズの指定として、Ａ４、Ｌ判などの固定サイズ、あるいは縦、横方向の長さが指定され得る。また、カットマークの位置の指定として、用紙表面の特定基準からの（座標）位置が指定され得る。
【００３９】
図８において、符号「５０」は、カットマーク印刷指定の切り替えメニュー画面（メイン）、符号「５１」は、簡易設定用の位置指定画面、符号「５２」は、簡易設定用のサイズ指定画面（一般的な固定サイズ指定が可能）、符号「５３」は、詳細設定用の水平位置指定画面、符号「５４」は、詳細設定用の垂直位置指定画面、符号「５５」は、詳細設定用の水平サイズ指定画面、符号「５６」は、詳細設定用の垂直サイズ指定画面である。
【００４０】
カットマーク印刷指定の切り替えメニュー画面５０には、前述したように、カットマークの印刷を実施するか否かの指定を行う項目がある。カットマーク印刷指定が「ＯＮ」の状態でさらに中央スイッチ４６が押されると、予め初期設定で定められた簡易設定モード又は詳細設定モードのいずれかに入る。この例では、簡易設定モードに入る。この簡易設定モードは、感覚的に簡単に指定可能なモードを想定している。具体的には、カットマクークの位置の指定として、中央、左、上、下、右などの簡単な位置が指定され得る。
【００４１】
簡易設定モードに入った場合、簡易設定用の位置指定画面５１が表示される。簡易設定用の位置指定画面５１には、カットマークの位置を決定するための位置指定項目５７（マトリクス状に配置された９つのマス目により示される「位置指定＝１」〜「位置指定＝９」）、および詳細モード移行ボタン５８が表示される。方向スイッチ４１にてマトリクス内の表示項目を囲む太枠を移動させることで、希望するマス目の位置指定項目５７が選択され、中央スイッチ４６を押すことでその選択が確定される。確定した位置指定項目５７は、シェーディングされて表示される。
【００４２】
続いて方向スイッチ４１を押すことで、簡易設定用のサイズ指定画面５２に移行される。ここで、カットマークのサイズとして予め大きさが定まっている複数の固定サイズのうちから、希望する固定サイズが選択されて設定される。すなわち、方向スイッチ４１で順次表示されるＡ４、Ａ５、はがき、Ｌ版…等の用紙サイズのうちの一つが選択され、中央スイッチ４６にて選択されたサイズが確定される。確定した場合には、星印がサイズ表示の先頭に付加される（他の図でも同様）。
【００４３】
次に詳細設定モードの場合について説明する。ここでは、簡易設定用の位置指定画面５１またはサイズ指定画面５２において詳細モード移行ボタン５８を押すことにより、詳細設定モードに入る。この詳細設定モードでは、用紙から切り取られるべき閉領域の外形を示すカットマークの位置およびサイズを、水平位置および垂直位置と、水平サイズおよび垂直サイズとに分けて、簡易設定モードよりも細かく調整して設定することが可能である。すなわち、この詳細設定モードの場合、まず詳細設定用の水平位置指定画面５３が表示され、方向スイッチ４１を押すことで、詳細設定用の垂直位置指定画面５４、詳細設定用の水平サイズ指定画面５５、詳細設定用の垂直サイズ指定画面５６が順次表示される。ユーザは、希望する指定項目の画面を選択し、テンキーにより数値を入力して、中央スイッチ４６を押すことで、カットマークの位置およびサイズを確定させ得る。なお、各画面内の簡易モード移行ボタン６１を押すことにより、簡易設定用の位置指定画面５１に表示が戻る。
【００４４】
図９は、簡易設定用の位置指定画面５１で指定された「位置指定＝１」〜「位置指定＝９」について、カットマークを用紙３１の裏面に印刷する際の位置、すなわち用紙から切り取られるべき閉領域の外形を示すカットマーク６６の印刷位置を例示した図である。指定される閉領域は、印刷可能領域６２内における最も端の領域となる。
【００４５】
図９（ａ）〜図９（ｉ）における左側の図は、印刷データ（文書や写真等を含む）を印刷した表面（用紙の第１面６３）を示し、右側の図はその裏面（用紙の第２面６４）を示している。
【００４６】
図９（ａ）〜図９（ｉ）において、左側の図である表面（用紙の第１面６３）には、図８に示す簡易設定用の位置指定画面５１に示された「位置指定＝１」〜「位置指定＝９」の表示位置に対応した切り取り予定位置が、指定位置および範囲６５として、破線で示されている。この指定位置および範囲６５の破線自体は実際には印刷されない。
【００４７】
一方、右側の図である裏面（用紙の第２面６４）には、表面に表された指定位置および範囲６５に対応する裏面の位置に、実際に印刷するためのカットマーク６６が太い破線で示されている。この線は、用紙３１の裏面に、カットマーク６６として実際に印刷される。印刷される線は、黒線、あるいは赤線などの有色の線でもよく、また、実線、破線、太線、細線のいずれでもよい。さらには、カットマーク６６は、用紙から切り取られるべき閉領域が塗りつぶされて示されるマークであってもよい（後述する図１０のカットマーク７０についても同様）。
【００４８】
図９における「位置指定＝１」〜「位置指定＝９」が意味するカットマークの位置は次の通りである。「位置指定＝１」が示すカットマークの位置は表面からみて左上の位置である。ここで、カットマークの位置は、印刷可能領域６２内において指定されたカットマークのサイズ（図８に示す簡易設定の場合のサイズ指定画面５２で指定）を満足できる最大範囲の位置とされる（他の位置指定においても同様）。また、「位置指定＝２」が示すカットマークの位置は表面からみて中央上の位置、「位置指定＝３」が示すカットマークの位置は表面からみて右上の位置、「位置指定＝４」が示すカットマークの位置は表面からみて左中央の位置、「位置指定＝５」が示すカットマークの位置は表面からみて上下左右中央の位置、「位置指定＝６」が示すカットマークの位置は表面からみて右中央の位置、「位置指定＝７」が示すカットマークの位置は表面からみて左下の位置、「位置指定＝８」が示すカットマークの位置は表面からみて中央下の位置、「位置指定＝９」が示すカットマークの位置は表面からみて右下の位置である。
【００４９】
図１０は、詳細設定により指定される指定項目と印刷位置の関係を示す図である。
【００５０】
図９の場合と同じように、図１０の左側に、印刷データ（文書や写真等を含む）を印刷した表面（用紙の第１面６３）を示し、右側にその裏面（用紙の第２面６４）を示している。
【００５１】
詳細設定用の水平位置指定画面５３で指定されたカットマークの位置Ｐ１（切り抜きを行いたい領域６７の左上隅の点）の水平位置は、図１０（ａ）の用紙の左上隅を原点とするＸ−Ｙ座標系におけるＸ座標（距離Ｘ１）となる。同様に、詳細設定用の垂直位置指定画面５４で指定されたカットマーク位置Ｐ１の垂直位置は、上記Ｘ−Ｙ座標系におけるＹ座標（距離Ｙ１）となる。
【００５２】
このカットマーク位置Ｐ１（Ｘ１、Ｙ１）を基準として、詳細設定用の水平サイズ指定画面５５および垂直サイズ指定画面５６で指定された領域６７の大きさが特定される。すなわち、カットマーク位置Ｐ１を基準として、水平サイズＬ１、垂直サイズ分Ｌ２が決定され、これにより、表面における切り抜きを行いたい閉領域６７の外形ライン６８が特定される。この切り抜きを行いたい領域６７の外形ライン６８は実際には印刷されない。
【００５３】
表面における切り抜きを行いたい領域６７に対応する裏面の位置に、用紙から切り取られるべき閉領域６９の外形を示すカットマーク７０が太い破線で示されている。このカットマーク７０が、両面印刷機能を利用して用紙３１の裏面に実際に印刷される。
【００５４】
閉領域６９は領域６７を裏側から見たものである。両面印刷の反転機構（両面印刷機構３７）を経ることにより、用紙３１はその天地が逆転される。印刷装置２は、用紙の裏面に対しても、表側から見た場合と同じように、用紙３１の左上隅を基準として位置の把握を行う。すなわち、閉領域６９の外形を示すカットマーク７０に沿って用紙３１の裏面に実際に印刷する際のカットマークの基準点は、用紙の左上隅であるカットマーク位置Ｐ２である。したがって、閉領域６９の水平位置は、図１０（ｂ）の左上隅を原点とするＸ−Ｙ座標系におけるカットマーク位置Ｐ２のＸ座標（距離Ｘ２）で定まる。同様に、閉領域６９の垂直位置は、上記Ｘ−Ｙ座標におけるカットマーク位置Ｐ２のＹ座標（距離Ｙ２）で定まる。
【００５５】
よって、用紙３１の裏面に実際に印刷するカットマーク７０の印刷位置（基準点Ｐ２）は、水平位置Ｘ２、および垂直位置Ｙ２で表される。ここで、水平位置Ｘ２、および垂直位置Ｙ２は、印刷する用紙のサイズ（用紙幅、および用紙長さ）との関係で、
（１）水平位置Ｘ２＝用紙幅Ｗ−（指定水平位置Ｘ１＋領域水平サイズＬ１）
（２）垂直位置Ｙ２＝用紙長Ｌ−（指定垂直位置Ｙ１＋領域垂直サイズＬ２）
と表すことができる。
【００５６】
次に、本実施形態の作用について説明する。
【００５７】
ユーザは、（１）印刷装置２のダイレクト印刷用接続部２７に印刷したい文書ファイルを保存した機器（カメラ、メモリカード等）を接続し、印刷装置２のダイレクト印刷機能を利用して印刷を行うことができる。また、ユーザは、（２）印刷したい文書ファイル（写真を含む）をＰＣ１を経由して印刷装置２で印刷することもできる。
【００５８】
ここで、ユーザは、図６〜図８を用いて説明したように、（Ａ）操作パネル部２５のコントロールパネル３９を操作することによって、カットマーク印刷に関する指定項目を設定することができる。ただし、本発明はこれに限定されるものではなく、（Ｂ）ＰＣ１を経由した印刷の場合には、ＰＣ１におけるプリンタドライバまたはアプリケーションによって提供される印刷設定の中で、カットマーク印刷に関する指定項目が設定され得る構成を採用することも可能である。
【００５９】
図１１は、印刷装置２における印刷処理の手順を示すフローチャートである。なお、図１１のフローチャートにより示されるアルゴリズムは、印刷装置２のＲＯＭ２２またはハードディスク２４などの記憶部にプログラムとして記憶されており、ＣＰＵ２１によって実行される。
【００６０】
ユーザが、ＰＣ１を経由する方法か、または印刷装置２のダイレクト印刷機能を利用する方法のいずれかにより、印刷すべき文書ファイルの印刷指示を行うと、印刷データが印刷装置２に転送されて、図１１の処理が実行される。印刷データは、ネットワークインタフェース２８を経由して受信されるか、またはダイレクト印刷の場合にはダイレクト印刷用接続部２７を経由して受信される。
【００６１】
まず、印刷装置２のＣＰＵ２１は、印刷データに対して、用紙から切り取られるべき閉領域の外形を示すカットマークの印刷が指定されているか否か、つまり本実施形態では、図８を用いて説明したカットマーク印刷指定が「ＯＮ」であるか否かを判断する（ステップＳ１０１）。
【００６２】
カットマーク印刷指定が「ＯＦＦ」の場合には（ステップＳ１０１：ＮＯ）、通常印刷が実行される（ステップＳ１０２）。すなわち、指定された印刷条件で画像処理が行われた印刷データは、印刷部２６に渡される。片面印刷の場合、印刷部２６は、用紙カセット３０から１枚ずつ給紙される用紙３１に画像データを印刷し、排紙トレイ３６に排出する。一方、両面印刷の場合、印刷装置２は、用紙カセット３０から用紙３１を１枚ずつ給紙して第１面に印刷を行ってから、その用紙３１を両面印刷機構３７に送って用紙３１を反転させて第２面の印刷を行い、印刷後の用紙３１を排紙トレイ３６に排出する。
【００６３】
一方、ステップＳ１０１においてカットマーク印刷指定が「ＯＮ」であると判断された場合（ステップＳ１０１：ＹＥＳ）、ＣＰＵ２１は、印刷データに対して両面印刷が指定されているか否かをチェックする（ステップＳ１０３）。
【００６４】
両面印刷の指定が行われている場合（ステップＳ１０３：ＹＥＳ）、一旦、印刷データの両面印刷指定が解除され、片面印刷と同様の扱いに変更される（ステップＳ１０４）。両面印刷の指定が行われていない場合（ステップＳ１０３：ＮＯ）、そのままステップＳ１０５に進む。
【００６５】
ステップＳ１０５では、ＣＰＵ２１は、両面印刷機構３７を用いてカットマークの印刷を行うために、内部的に両面印刷モードの設定を行う（ステップＳ１０５）。
【００６６】
続いて、印刷データがページ単位にビットマップ形式の画像データに変換されるとともに、カットマークのサイズおよび印刷位置を取得し、取得されたカットマークのサイズおよび印刷位置に基づいて、用紙３１の裏面にカットマークの画像を印刷すべく、カットマーク印刷用のページが作成されて追加される（ステップＳ１０６）。そして、表面に印刷データを印刷するとともに裏面にカットマークを印刷するための、印刷処理が実行される（ステップＳ１０７）。
【００６７】
図１２は、カットマーク印刷用に追加されるページと印刷順序とを示す図である。
【００６８】
図１２の上段のＤＦ１、ＤＦ２、ＤＦ３、ＤＦ４…は、ユーザの印刷指示の対象としての印刷データのページ（あるいはコピー繰り返し分）を示し、下段のＭＦ１、ＭＦ２、ＭＦ３…は、カットマーク印刷用のページを示す。ＭＦ１、ＭＦ２、ＭＦ３…は、ＤＦ１、ＤＦ２、ＤＦ３…中に、交互に挿入される。ここでは、印刷された用紙をフェースダウンで順番に排出することを前提として、裏面に相当するカットマーク印刷用のページＭＦ１、ＭＦ２、ＭＦ３…が、表面のページよりも先に印刷されるように設定される。
【００６９】
このように本実施形態によれば、印刷された写真などの画像を、その一部を切り抜いて縁なし印刷物を生成する際に、用紙から切り取られるべき閉領域の外形を示すカットマークを用紙３１の裏面に印刷するので、作業効率の向上を図ることができる。しかも、本実施形態では、両面印刷機構を利用するので特別な専用の装置を別途備える必要が無く、簡単にしかも融通性の利くマーキング機能を提供することができる。
【００７０】
本発明は、上記した実施形態のみに限定されるものではなく、特許請求の範囲内において、種々改変することができる。
【００７１】
例えば上記実施形態では、印刷データ送信装置としてＰＣ１が使用されているが、ＰＣ１の代わりに、携帯端末などの他の印刷データ送信装置が使用されてもよい。
【００７２】
また、本発明は、例えばメモリカード等を接続して印刷装置２でダイレクト印刷する場合には、ＰＣ１が接続されていない単独の印刷装置２にも適用され得る。
【００７３】
本実施形態にかかる画像処理システムにおける各種処理を行う手段および方法は、専用のハードウェア回路、またはプログラムされたコンピュータのいずれによっても実現することが可能である。上記プログラムは、たとえばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送されて記憶される。また、上記プログラムは、単独のアプリケーションソフトとして提供されてもよいし、装置の一機能としてその装置のソフトウェアに組み込まれてもよい。
【図面の簡単な説明】
【００７４】
【図１】本発明の実施形態にかかる画像処理システムの全体構成を示すブロック図である。
【図２】図１に示されるＰＣの構成を示すブロック図である。
【図３】図１に示される印刷装置の構成を示すブロック図である。
【図４】両面印刷機構を持つ印刷装置の機械的構造を模式的に示す図である。
【図５】ページ順が揃う両面印刷順序を説明するための図である。
【図６】印刷装置のコントロールパネルの構成を示す平面図である。
【図７】メニュー表示が遷移する例を示す図である。
【図８】メニューの構成例を示す図である。
【図９】簡易設定によるカットマークの印刷位置を例示した図である。
【図１０】詳細設定により指定される指定項目と印刷位置の関係を示す図である。
【図１１】印刷装置における印刷処理の手順を示すフローチャートである。
【図１２】カットマーク印刷用に追加されるページと印刷順序とを示す図である。
【符号の説明】
【００７５】
１    ＰＣ、
２    印刷装置、
３    ネットワーク、
１１，２１    ＣＰＵ、
１２，２２    ＲＯＭ、
１３，２３    ＲＡＭ、
１４，２４    ハードディスク、
１５    ディスプレイ、
１６    入力装置、
１７    記録媒体読み取り装置、
１８，２８    ネットワークインタフェース、
１９，２９    バス、
２５    操作パネル部、
２６    印刷部、
２７    ダイレクト印刷用接続部、
３０    用紙カセット、
３１    用紙、
３７    両面印刷機構、
３９    コントロールパネル、
４０    ＬＣＤ表示部、
４１    方向スイッチ、
４６    中央スイッチ（メニュー／選択実行スイッチ）、
５０    カットマーク印刷指定の切り替えメニュー画面、
５１    簡易設定用の位置指定画面、
５２    簡易設定用のサイズ指定画面、
５３    詳細設定用の水平位置指定画面、
５４    詳細設定用の垂直位置指定画面、
５５    詳細設定用の水平サイズ指定画面、
５６    詳細設定用の垂直サイズ指定画面、
６２    印刷可能領域、
６３    用紙の第１面、
６４    用紙の第２面、
６５    指定したい位置・範囲、
６６，７０    カットマーク、
６９    閉領域。
【図１】
0004665806.tif 000002
【図２】
0004665806.tif 000003
【図３】
0004665806.tif 000004
【図４】
0004665806.tif 000005
【図５】
0004665806.tif 000006
【図６】
0004665806.tif 000007
【図７】
0004665806.tif 000008
【図８】
0004665806.tif 000009
【図９】
0004665806.tif 000010
【図１０】
0004665806.tif 000011
【図１１】
0004665806.tif 000012
【図１２】
0004665806.tif 000013